(57)【要約】【課題】簡単、安価に製造でき、かつ滑り難く歩行が容易となる簡易シューズを提供する。【解決手段】靴底部１１と、靴底部１１に連接された甲皮部１２及び踵部１３を有する簡易シューズ１０において、踵部１３の全部又は下側部と靴底部１１とは連続したシートＡで形成され、しかもシートＡの外露出側には、シートＡの芯材部となる独立気泡を有するゴムシート材１７の一側が露出して滑り止めとなっている。また、シートＡの内露出側には、ゴムシート材１７の他側に貼着されたジャージＢが露出している。【選択図】図１
0003217680.tif 000002
【実用新案登録請求の範囲】
【請求項１】
靴底部と、該靴底部に連接された甲皮部及び踵部を有する簡易シューズにおいて、
前記踵部の全部又は下側部と前記靴底部とは連続したシートＡで形成され、しかも前記シートＡの外露出側には、該シートＡの芯材部となる独立気泡を有するゴムシート材の一側が露出して滑り止めとなっていることを特徴とする簡易シューズ。
【請求項２】
請求項１記載の簡易シューズにおいて、前記シートＡの内露出側には、前記ゴムシート材の他側に貼着されたジャージＢが露出していることを特徴とする簡易シューズ。
【請求項３】
請求項１又は２記載の簡易シューズにおいて、前記甲皮部はシートＣとシートＤを有し、前記シートＣ、Ｄの下端及び後端は、前記シートＡの側端にそれぞれ接合され、前記シートＣの上端と、前記シートＤの上端は足通し部を形成する領域を除いて、接合されていることを特徴とする簡易シューズ。
【請求項４】
請求項３記載の簡易シューズにおいて、前記シートＣ、Ｄは、それぞれ芯材部となる独立気泡を有するゴムシート材と、該ゴムシート材の両面に貼着されたジャージＥ、Ｅ´、Ｆ、Ｆ´で構成されていることを特徴とする簡易シューズ。
【請求項５】
請求項１〜４のいずれか１項に記載の簡易シューズにおいて、前記踵部の下側部が前記シートＡで、該踵部の上側部が該シートＡに接合されるシートＧでそれぞれ形成され、しかも前記シートＧの内露出側には、該シートＧの芯材部となる独立気泡を有するゴムシート材の一側が露出し、該シートＧの外露出側には前記ゴムシート材の他側に貼着されたジャージＨが露出していることを特徴とする簡易シューズ。
【考案の詳細な説明】
【技術分野】
【０００１】
本考案は、部屋内又は滑りやすい場所を歩く場合に使用する簡易シューズ（ルームシューズ、野外用シューズ、乗り物用シューズ、介護用シューズ、フットカバーを含む）に関する。
【背景技術】
【０００２】
例えば、特許文献１には、靴底と、靴底に設けられ、足の爪先部を包容可能な甲皮部及び足の踵部を包容可能な側皮部を有した外皮と、靴底の表面に取外し可能に敷設された靴中敷きとを備えたルームシューズが提案されている。また、特許文献２には、靴底部の周囲に、足甲部、踵部、及び足側部を有するルームシューズが提案されている。
【先行技術文献】
【特許文献】
【０００３】
【特許文献１】特開２００７−２８３０１６号公報
【特許文献２】特開２０１６−０４９３３７号公報
【考案の概要】
【考案が解決しようとする課題】
【０００４】
しかしながら、特許文献１、２記載のルームシューズは、靴底部と踵部が分離しており、靴底部と踵部を強固に接合することが必要であり、製造（靴底部と踵部の接合）が難しいという問題がある。
また、靴底部が布地でできているので、比較的寿命が短く、また、使用時に滑り易いという問題があった。
【０００５】
本考案はかかる事情に鑑みてなされたもので、簡単、安価に製造でき、かつ滑り難く歩行が容易となる簡易シューズを提供することを目的とする。
【課題を解決するための手段】
【０００６】
前記目的に沿う本考案に係る簡易シューズは、靴底部と、該靴底部に連接された甲皮部及び踵部を有する簡易シューズにおいて、
前記踵部の全部又は下側部と前記靴底部とは連続したシートＡで形成され、しかも前記シートＡの外露出側には、該シートＡの芯材部となる独立気泡を有するゴムシート材の一側が露出して滑り止めとなっている。
【０００７】
本考案に係る簡易シューズにおいて、前記シートＡの内露出側には、前記ゴムシート材の他側に貼着されたジャージＢが露出していることが好ましい。
シートＡの内露出側、即ち靴底部の内露出側にはジャージＢが露出しているので、簡易シューズ内に足を容易に挿入することができ、簡易シューズが履き易くなる。
【０００８】
本考案に係る簡易シューズにおいて、前記甲皮部はシートＣとシートＤを有し、前記シートＣ、Ｄの下端及び後端は、前記シートＡの側端にそれぞれ接合され、前記シートＣの上端と前記シートＤの上端は足通し部を形成する領域を除いて、接合されていることが好ましい。
このような構成とすることで、簡易シューズの甲皮部の形成が容易になる。
【０００９】
本考案に係る簡易シューズにおいて、前記シートＣ、Ｄは、それぞれ芯材部となる独立気泡を有するゴムシート材と、該ゴムシート材の両面に貼着されたジャージＥ、Ｅ´、Ｆ、Ｆ´で構成されていることが好ましい。
このような構成とすることで、足通し部から足を挿入する際、足の甲が甲皮部（シートＣ、Ｄ）の内側に設けられたジャージＥ´、Ｆ´に触れながら移動することになり、簡易シューズが履き易くなる。
また、靴底部（シートＡの一部）は足底に合わせて、甲皮部（シートＣとシートＤ）は足の甲に合わせてそれぞれ伸びることができる。このため、足底の大きさ（幅と長さ）や足の甲の大きさ（幅と高さ）に合わせて簡易シューズの大きさを選択しなくても簡易シューズを履くことができる（サイズフリーとなる）。
更に、靴底部と甲皮部が足に沿ってそれぞれ変形することにより足（足の甲及び踵）が甲皮部及び踵部で包み込まれることになり、簡易シューズを履いた際のフィット感が向上する。
そして、独立気泡を有するゴムシート材が芯材部となっているためシート材Ａ、Ｃ、Ｄの内部に水が進入することがなく、速乾性に優れる。このため、簡易シューズを乾燥状態に保つことが容易となり、簡易シューズの衛生状態を維持することが容易となる。
【００１０】
本考案に係る簡易シューズにおいて、前記踵部の下側部が前記シートＡで、該踵部の上側部が該シートＡに接合されるシートＧでそれぞれ形成され、しかも前記シートＧの内露出側には、該シートＧの芯材部となる独立気泡を有するゴムシート材の一側が露出し、該シートＧの外露出側には前記ゴムシート材の他側に貼着されたジャージＨが露出する構成とすることができる。
このような構成とすることにより、簡易シューズを履いた際、踵と足首の間の領域の足首側の部分をシートＧを形成するゴムシート材の一側に接触させることができ、踵が踵部の上側部（シートＧ）に対してずれることを防止できる。これにより、歩行中に踵が簡易シューズ内から抜け出すことを防止して安定した移動を実現できる。
また、独立気泡を有するゴムシート材が芯材部となっているためシートＡ、（Ｃ、Ｄ、）Ｇの内部に水が進入することがなく、速乾性に優れる。このため、簡易シューズを乾燥状態に保つことが容易となり、簡易シューズの衛生状態を維持することが容易となる。
【考案の効果】
【００１１】
本考案に係る簡易シューズは、踵部の全部又は下側部と靴底部とが連続したシートＡで形成されているので、簡易シューズを製造する際、靴底部と踵部との接合工程が省略でき、生産性の向上と製造コストの低減を図ることができる。
また、靴底部の外側にはシートＡを構成する独立気泡を有するゴムシート材の一側が露出して滑り止めとなっているため、耐久性及びクッション性に加えて防水性にも優れるため、濡れた床面上での移動や水回りの作業が可能になる。
【図面の簡単な説明】
【００１２】
【図１】（Ａ）は本考案の第１の実施の形態に係る簡易シューズの平面図、（Ｂ）は左側面図、（Ｃ）は右側面図である。
【図２】同簡易シューズの正面図である。
【図３】同簡易シューズの底面図である。
【図４】本考案の第２の実施の形態に係る簡易シューズの踵部の説明図である。
【考案を実施するための形態】
【００１３】
続いて、添付した図面を参照しつつ、本考案を具体化した実施の形態につき説明し、本考
案の理解に供する。
本考案の第１の実施の形態に係る簡易シューズ１０は、図１〜図３に示すように、簡易シューズ１０を足に装着した際、足底を支える靴底部１１と、靴底部１１に連接され足の甲を覆う甲皮部１２と、靴底部１１及び甲皮部１２にそれぞれ連接され踵を覆う踵部１３を有している。なお、本考案の第１の実施の形態では、踵部１３の高さは、簡易シューズ１０を履いた際、足首が簡易シューズ１０の上側に位置するように設定されている。以下、詳細に説明する。なお、靴底部の寸法は例えば、２２〜２５．５ｃｍ程度が標準であるが、２２ｃｍ以下、又は２５．５ｃｍ以上であってもよい。
【００１４】
踵部１３の全部と靴底部１１とは連続したシートＡで形成されている。ここで、シートＡの外露出側には、シートＡの芯材部となる独立気泡を有するゴムシート材１７の一側が露出して滑り止めとなっており、シートＡの内露出側には、ゴムシート材１７の他側に貼着されたジャージＢが露出している。シートＡの内露出側にジャージＢが露出しているので、簡易シューズ１０の足通し部（開口部）１４から簡易シューズ１０の内側に足を容易に挿入することができ、簡易シューズ１０が履き易くなる。また、シートＡの芯材部が独立気泡を有するゴムシート材１７であるので、靴底部１１に伸縮性、クッション性及び防水性を持たせることができ、快適な歩行（移動）が実現される。
【００１５】
甲皮部１２はシートＣとシートＤを有し、シートＣ、Ｄの下端はシートＡの両側端にそれぞれ接合され、シートＣ、Ｄの基端（後端）はシートＡの後ろ側両側端（踵部１３の両側端）にそれぞれ接合されている。また、シートＣ、Ｄの上端は、足の出し入れのための足通し部１４の縁を形成する領域１５、１６を除いて接合されている。そして、シートＣは、芯材部となる独立気泡を有するゴムシート材１８と、ゴムシート材１８の両面にそれぞれ貼着されたジャージＥ、Ｅ´で構成され、シートＤは、芯材部となる独立気泡を有するゴムシート材１９と、ゴムシート材１９の両面にそれぞれ貼着されたジャージＦ、Ｆ´で構成されている。また、領域１５、１６の端部とシートＡの基端（後端）にはバイアステープ（例えば、伸縮性を有する布テープ）２０が取付けられている。なお、符号２１はシートＣとシートＡの接合部、符号２２はシートＤとシートＡの接合部、符号２３はシートＣとシートＤの接合部である。
【００１６】
このような構成とすることで、簡易シューズ１０の甲皮部１２の形成を容易に行なうことができる。また、甲皮部１２に防水性を持たせることができると共に、甲皮部１２の内露出側にジャージＥ´、Ｆ´が配置されることになるため、足通し部分１４から足を簡易シューズ１０内に容易に挿入することができる。
そして、靴底部１１は足底に合わせて、甲皮部１２（シートＣとシートＤ）は足の甲に合わせてそれぞれ伸びることができる。このため、足底の大きさ（幅と長さ）及び足の甲の大きさ（幅と高さ）に合わせて簡易シューズの大きさを選択しなくても簡易シューズ１０を履くことができる（即ちサイズフリーとなる）。更に、シートＡ、シートＣ及びシートＤが足の甲の両側部の形状に沿ってそれぞれ変形することができるので、足の甲及び踵が甲皮部１２及び踵部１３で包み込まれることになり、簡易シューズ１０を履いた際のフィット感が向上する。
更に、独立気泡を有するゴムシート材１７、１８、１９が芯材部であるためシート材Ａ、Ｃ、Ｄの内部に水が進入することがなく、速乾性に優れる。このため、簡易シューズ１０を乾燥状態に保つことが容易となり、簡易シューズ１０の衛生状態を維持することが容易となる。
【００１７】
ここで、ゴムシート材１７、１８、１９（厚さは、例えば１〜３ｍｍ）が有する独立気泡の直径の下限は０．０５ｍｍ、上限は１ｍｍ、独立気泡の気泡率の下限は６０％、上限は９５％である。ゴムシート材１７、１８、１９の独立気泡の直径が０．０５ｍｍ未満又は気泡率が６０％未満では、ゴムシート材が押圧されても変形し難く（柔軟性が過小になって）、ゴムシート材からの反発力が過大となる（衝撃吸収性とクッション性が過小になる）ため好ましくない。一方、ゴムシート材１７、１８、１９の独立気泡の直径が１ｍｍを超え又は独立気泡の気泡率が９５％を超えると、ゴムシート材１７、１８、１９が押圧されると容易に変形して（柔軟性が過剰になって）、ゴムシート材から反発力が得られない（衝撃吸収性とクッション性が過小になる）ため好ましくない。このため、ゴムシート材１７、１８、１９が有する独立気泡の直径の下限は０．０５ｍｍ、好ましくは０．１ｍｍとし、上限は１ｍｍ、好ましくは０．８ｍｍである。また、独立気泡の気泡率の下限は６０％、好ましくは７０％であり、上限は９５％、好ましくは９０％である。なお、本考案はこれらの数字には限定されない。
【００１８】
ジャージＢは合成繊維からなり、厚みは０．３〜２ｍｍであって、ゴムシート材１７の他側に接着又は縫合により、あるいは接着及び縫合により設けられている。ジャージＥ、Ｅ´、Ｆ、Ｆ´は合成繊維からなり、厚みは０．３〜１ｍｍであって、ゴムシート材１８、１９の両面にそれぞれ接着又は縫合により、あるいは接着及び縫合により設けられている。
ここで、ジャージＢ、Ｅ、Ｅ´、Ｆ、Ｆ´を形成している合成繊維としては、例えば、ナイロン繊維、ポリエステル繊維、ポリプロピレン中空糸繊維、及びポリエチレン繊維のいずれか１が使用できる。特に、ポリエチレン繊維等の撥水性に優れた繊維からなるジャージＢ、Ｅ、Ｅ´、Ｆ、Ｆ´を用いることで、シートＡの他側、シートＣ、Ｄの両側の乾燥状態を維持することが容易になると共に、洗浄後の乾燥も容易となる。
【００１９】
続いて、本考案の第１の実施の形態に係る簡易シューズ１０の作用について説明する。
図１（Ａ）、（Ｂ）、（Ｃ）に示すように、簡易シューズ１０では、踵部１３の全部と靴底部１１とが連続したシートＡで形成されているので、簡易シューズ１０を製造する際、靴底部１１を形成するシート材と踵部１３を形成するシート材との接合工程が省略できる。このため、簡易シューズ１０の生産性の向上と製造コストの低減を図ることができる。
また、靴底部１１の内側には、シートＡの芯材部となるゴムシート材１７の他側に貼着されたジャージＢが露出しているので、簡易シューズ１０の足通し部１４から簡易シューズ１０の内側に足を容易に挿入することができ、簡易シューズ１０が履き易くなる。
一方、靴底部１１の外側にはシートＡの芯材部となる独立気泡を有するゴムシート材１７の一側（一方の面）が露出して滑り止めとなっている。耐久性及びクッション性に加えて防水性にも優れるため、濡れた床面上での移動や水回りの作業が可能になる。
【００２０】
図４に示すように、本考案の第２の実施の形態に係る簡易シューズ２４は、第１の実施の形態に係る簡易シューズ１０と比較して、踵部２５の下側部がシートＡで、踵部２５の上側部がシートＡに接合されてシートＡと連接したシートＧでそれぞれ形成され、しかもシートＧの内露出側には、シートＧの芯材部となる独立気泡を有するゴムシート材２６の一側が露出し、シートＧの外露出側にはゴムシート材２６の他側に貼着されたジャージＨが露出していることが特徴となっている。このため、第１の実施の形態に係る簡易シューズ１０と同一の構成部材には同一の符号を付して詳細な説明は省略し、簡易シューズ１０と異なる点についてのみ詳細に説明する。
【００２１】
踵部２５は、靴底部１１を形成しているシートＡの基側（後ろ側、足の踵に接触する部位の外領域）を、靴底部１１に対して山折りすることにより形成される立上り部２７と、シートＧから形成され立上り部２７の基端（後端）に一端が接合されてる延長部２８とを有している。そして、シートＣ、Ｄの下端と靴底部１１を形成するシートＡの両側端との接合、シートＣ、Ｄの後端の下側と立上り部２７を形成するシートＡの両側端との接合、シートＣ、Ｄの後端の上側と延長部２８を形成するシートＧの両側端との接合、シートＣ、Ｄの上端から領域１５、１６を除いた領域同士の接合が行なわれることで、領域１５、１６及び延長部２８の上端で囲まれた足通し部２９を備えた簡易シューズ２４が形成される。また、領域１５、１６の端部と延長部２８の上端部はバイアステープ３０が取付けられている。なお、符号３３はシートＡとシートＧの接合部、符号３１はシートＣとシートＧの接合部、符号３２はシートＤとシートＧの接合部である。
【００２２】
続いて、本考案の第２の実施の形態に係る簡易シューズ２４のみが有する特徴的な作用効果について説明する。
簡易シューズ２４では、簡易シューズ２４を履いた際、踵と足首の間の領域の足首側の部分をシートＧを形成するゴムシート材の一側に接触させることができ、踵が延長部２８（シートＧ）に対してずれることを防止できる。これにより、歩行中に踵が簡易シューズ２４内から抜け出すことを防止して安定した移動を実現できる。
【００２３】
ここで、簡易シューズ２４の踵部２５の高さをｈとした場合、延長部２８の高さの下限値はｈ／４、好ましくはｈ／３であり、延長部２８の高さの上限値は３ｈ／４、好ましくはｈ／２である。延長部２８の高さがｈ／４未満では、延長部２８が踵と接する範囲が短くなって、踵の延長部２８に対するずれを防止する効果が低下し好ましくない。一方、延長部２８の高さが３ｈ／４を超えると、立上り部２７の高さがｈ／４未満となるため、シートＣ、Ｄの基端の下側と立上り部２７を形成するシートＡの両側端との接合が困難となり、簡易シューズ２４の生産性の低下に伴って製造コストが上昇するため好ましくない。
なお、以上の説明において、ゴムシート材同士の接合は接着剤を用いて、ジャージが貼着されたシートにおいて、ゴムシート材同士の接合は接着剤で、ジャージ同士の接合は縫合で行われている。
また、靴底部を形成するシートＡのゴムシート材（例えば、発泡クロロプレンゴム）は、甲皮部を形成するシートＣ、Ｄのゴムシート材より厚いのが好ましい。
【００２４】
以上、本考案の実施の形態を説明したが、本考案は、上記した形態に限定されるものでは
なく、要旨を逸脱しない条件の変更等は全て本考案の適用範囲である。
例えば、本実施の形態では、簡易シューズの踵部の高さを、簡易シューズを履いた際に足首が簡易シューズの上側に位置するように設定したが、本考案は足首が踵部で覆われるような長さに設定しても適用可能である。
【符号の説明】
【００２５】
１０：簡易シューズ、１１：靴底部、１２：甲皮部、１３：踵部、１４：足通し部、１５、１６：領域、１７、１８、１９：ゴムシート材、２０：バイアステープ、２１、２２、２３：接合部、２４：簡易シューズ、２５：踵部、２６：ゴムシート材、２７：立上り部、２８：延長部、２９：足通し部、３０：バイアステープ、３１、３２、３３：接合部、Ａ
：シートＡ、Ｂ：ジャージＢ、Ｃ：シートＣ、Ｄ：シートＤ、Ｅ：ジャージＥ、Ｆ：ジャージＦ、Ｇ：シートＧ、Ｈ：ジャージＨ
【図１】
0003217680.tif 000003
【図２】
0003217680.tif 000004
【図３】
0003217680.tif 000005
【図４】
0003217680.tif 000006